(57)【要約】【課題】容易に複数方向へ映像を投影できる投影玩具を提供する。【解決手段】対象物１１，１２に対して映像を投影可能な投影部４０を設けた本体２０を載置面１３に載置するために、第１載置部３１、第２載置部３２、第３載置部３３を本体２０に設けた。そして、互いに異なる方向に向けて第１載置部３１、第２載置部３２、第３載置部３３を設けた。これにより、各載置部を用いて本体２０を載置面１３に載置することにより、投影部４０は異なる３方向への投影を容易に行うことができる。【選択図】図３
2018121964.tif 000002
【特許請求の範囲】
【請求項１】
載置面に載置された本体から対象物に対して映像を投影可能な投影玩具であって、
前記本体に設けられ、前記対象物に対して映像を投影可能な投影部と、
前記本体に設けられた第１載置部と、第２載置部と、第３載置部と、
を備え、
前記第１載置部、前記第２載置部及び前記第３載置部は、前記本体における互いに異なる方向に向けて設けられている投影玩具。
【請求項２】
請求項１に記載の投影玩具において、
前記第１載置部、前記第２載置部及び前記第３載置部は、前記本体における前記投影部の投影方向とは異なる方向に向けて設けられている投影玩具。
【請求項３】
請求項２に記載の投影玩具において、
前記第２載置部は、前記第１載置部に隣接し、
前記第３載置部は、前記第２載置部における前記第１載置部とは異なる方向に隣接する投影玩具。
【請求項４】
請求項３に記載の投影玩具において、
前記第３載置部は、前記第１載置部及び前記第２載置部の並び方向に設けられるとともに、前記第２載置部における前記第１載置部とは反対側に隣接する投影玩具。
【請求項５】
請求項２〜４のいずれか１項に記載の投影玩具において、
前記投影部は、
前記載置面に対して前記第１載置部を介して前記本体を載置することにより前記投影方向が前記載置面に対する第１角度となり、
前記載置面に対して前記第２載置部を介して前記本体を載置することにより前記投影方向が前記載置面に対する第２角度となり、
前記載置面に対して前記第３載置部を介して前記本体を載置することにより前記投影方向が前記載置面に対する第３角度となる投影玩具。
【請求項６】
請求項５に記載の投影玩具において、
前記第１角度が９０度であり、
前記第２角度が４５度以上９０度未満であり、
前記第３角度が４５度未満である投影玩具。
【請求項７】
請求項１〜６のいずれか１項に記載の投影玩具において、
前記第１載置部及び前記第２載置部は少なくとも一部が平面であり、前記第３載置部は少なくとも一部が曲面である投影玩具。
【請求項８】
請求項１〜７のいずれか１項に記載の投影玩具において、
前記第１載置部は、前記載置面に対して接触可能な第１突出部を有する投影玩具。
【請求項９】
請求項１〜９のいずれか１項に記載の投影玩具において、
前記第２載置部は前記載置面に対して接触可能な平面である投影玩具。
【請求項１０】
請求項１〜９のいずれか１項に記載の投影玩具において、
前記第３載置部は、前記本体に設けられた取っ手を有する投影玩具。
【請求項１１】
請求項１〜１０のいずれか１項に記載の投影玩具において、
前記第３載置部は、前記載置面に対して接触可能な第２突出部を有する投影玩具。
【請求項１２】
請求項１１記載の投影玩具において、
前記第２突出部は、前記第３載置部における前記第２載置部側に設けられている投影玩具。
【請求項１３】
請求項１１または請求項１２に記載の投影玩具において、
前記第３載置部は、前記第２突出部及び前記取っ手を介して前記載置面に接触可能である投影玩具。
【請求項１４】
請求項１〜１３のいずれか１項に記載の投影玩具において、
前記本体に設けられた音出力部を有し、
前記音出力部は、前記投影部の投影方向、前記第１載置部、前記第２載置部及び前記第３載置部とは異なる方向に向けて設けられている投影玩具。
【請求項１５】
請求項１０に記載の投影玩具において、
前記本体において前記取っ手とは反対側に装着部を有し、
前記装着部は、前記映像の情報を有する記憶媒体を装着可能であり、
前記投影部は、前記装着部に装着された前記記憶媒体の前記情報に基づいて前記映像を前記対象物に投影可能である投影玩具。
【請求項１６】
請求項１５に記載の投影玩具において、
前記装着部は、前記情報が異なる複数種類の前記記憶媒体を選択的に装着可能であり、
前記装着部に装着されない他の記憶媒体は、前記本体において前記取っ手側に設けられた収容部に収容可能である投影玩具。
【発明の詳細な説明】
【技術分野】
【０００１】
本発明は、天井や壁に映像を投影できる投影玩具に関する。
【背景技術】
【０００２】
従来、乳幼児を対象として、例えば屋内において壁面に映像を投影する投影玩具が知られている（例えば、特許文献１参照）。
特許文献１に示された投影玩具は、玩具本体に対して複数種類のフィルムカセットを選択的に装着することにより、所望の映像を壁面に投影できるとともに、映像に対応した音声を発することができるとされている。
【先行技術文献】
【特許文献】
【０００３】
【特許文献１】特開２００６−２５９８２号公報
【発明の概要】
【発明が解決しようとする課題】
【０００４】
ところで、特許文献１に示された投影玩具は、略前方にある壁面に対する映像の投影を主目的とするものであり、例えば屋内の天井面等の上方へ向けた映像の投影を行うことができないという問題があった。
【０００５】
本発明は、上述した事情に鑑みなされたものであり、複数方向へ映像を投影できる投影玩具を提供することを目的とする。
【課題を解決するための手段】
【０００６】
本発明に係る投影玩具は、載置面に載置された本体から対象物に対して映像を投影可能な投影玩具であって、前記本体に設けられ、前記対象物に対して映像を投影可能な投影部と、前記本体に設けられた第１載置部と、第２載置部と、第３載置部と、を備え、前記第１載置部、前記第２載置部及び前記第３載置部は、前記本体における互いに異なる方向に向けて設けられていることを特徴とする。
【０００７】
また、本発明に係る投影玩具においては、前記第１載置部、前記第２載置部及び前記第３載置部は、前記本体における前記投影部の投影方向とは異なる方向に向けて設けられていてもよい。
【０００８】
また、本発明に係る投影玩具においては、前記第２載置部は、前記第１載置部に隣接し、前記第３載置部は、前記第２載置部における前記第１載置部とは異なる方向に隣接してもよい。
【０００９】
また、本発明に係る投影玩具においては、前記第３載置部は、前記第１載置部及び前記第２載置部の並び方向に設けられるとともに、前記第２載置部における前記第１載置部とは反対側に隣接してもよい。
【００１０】
また、本発明に係る投影玩具においては、前記投影部は、前記載置面に対して前記第１載置部を介して前記本体を載置することにより前記投影方向が前記載置面に対する第１角度となり、前記載置面に対して前記第２載置部を介して前記本体を載置することにより前記投影方向が前記載置面に対する第２角度となり、前記載置面に対して前記第３載置部を介して前記本体を載置することにより前記投影方向が前記載置面に対する第３角度となってもよい。
【００１１】
また、本発明に係る投影玩具においては、前記第１角度が９０度であり、前記第２角度が４５度以上９０度未満であり、前記第３角度が４５度未満であってもよい。
【００１２】
また、本発明に係る投影玩具においては、前記第１載置部及び前記第２載置部は少なくとも一部が平面であり、前記第３載置部は少なくとも一部が曲面であってもよい。
【００１３】
また、本発明に係る投影玩具においては、前記第１載置部は、前記載置面に対して接触可能な第１突出部を有してもよい。
【００１４】
また、本発明に係る投影玩具においては、前記第２載置部は前記載置面に対して接触可能な平面であってもよい。
【００１５】
また、本発明に係る投影玩具においては、前記第３載置部は、前記本体に設けられた取っ手を有してもよい。
【００１６】
また、本発明に係る投影玩具においては、前記第３載置部は、前記載置面に対して接触可能な第２突出部を有してもよい。
【００１７】
また、本発明に係る投影玩具においては、前記第２突出部は、前記第３載置部における前記第２載置部側に設けられていてもよい。
【００１８】
また、本発明に係る投影玩具においては、前記第３載置部は、前記第２突出部及び前記取っ手を介して前記載置面に接触可能であってもよい。
【００１９】
また、本発明に係る投影玩具においては、前記本体に設けられた音出力部を有し、前記音出力部は、前記投影部の投影方向、前記第１載置部、前記第２載置部及び前記第３載置部とは異なる方向に向けて設けられていてもよい。
【００２０】
また、本発明に係る投影玩具においては、前記本体において前記取っ手とは反対側に装着部を有し、前記装着部は、前記映像の情報を有する記憶媒体を装着可能であり、前記投影部は、前記装着部に装着された前記記憶媒体の前記情報に基づいて前記映像を前記対象物に投影可能であってもよい。
【００２１】
また、本発明に係る投影玩具においては、前記装着部は、前記情報が異なる複数種類の前記記憶媒体を選択的に装着可能であり、前記装着部に装着されない他の記憶媒体は、前記本体において前記取っ手側に設けられた収容部に収容可能であってもよい。
【発明の効果】
【００２２】
本発明によれば、幼児でも容易に映像の投影方向を変更できる投影玩具を提供することができる。
【図面の簡単な説明】
【００２３】
【図１】（Ａ）は本発明の実施形態である投影玩具を前上方から見下ろした斜視図であり、（Ｂ）は前下方から見上げた斜視図である。
【図２】図１（Ａ）中ＩＩ方向から見た本発明の実施形態である投影玩具の側面図である。
【図３】（Ａ）は本発明の実施形態である投影玩具を用いて第１角度である上方に投影する状態を示す側面図であり、（Ｂ）は第２角度である前斜め上方に投影する状態を示す側面図であり、（Ｃ）は第３角度である前斜め上方に投影する状態を示す側面図である。
【発明を実施するための形態】
【００２４】
［本発明の実施の形態］
図１（Ａ）は本発明の実施形態である投影玩具を前上方から見た斜視図であり、図１（Ｂ）は前下方から見た斜視図である。なお、以下の説明においては、図１（Ａ）に示すように、「前」、「後」、「上」、「下」を定義する。
【００２５】
図１（Ａ）及び図１（Ｂ）に示すように、本発明の実施形態である投影玩具１０は、対象物としての天井１１（図３（Ａ）参照）や壁１２（図３（Ｂ）及び図３（Ｃ）参照）等に、記憶媒体であるカセット５０に記憶されている映像を投影することができる玩具である。
【００２６】
投影玩具１０は、机や台等の載置面１３（図２参照）に載置される例えば全体略円筒形状の本体２０を有しており、本体２０は、上方に開口（上開口２３）し底板２４を有する本体胴部２１と、本体胴部２１に着脱可能に取り付けられて上開口２３を覆う本体蓋部２２を有する。本体蓋部２２は、本体胴部２１に取り付ける際には、所定の位置及び方向においてのみ本体胴部２１に固定される。本体２０の内部には、カセット５０の映像を底板２４（底板後部２４１）に対して直交する上方に向けて投影する投影部４０が設けられている。なお、ここでは、投影部４０による投影方向は、本体２０の中心線ＣＬの方向と平行である。
【００２７】
本体胴部２１は、有底円筒形状を呈しており、下端面に平面状の底板２４を有する。底板２４は、本体２０の中心線ＣＬに対して直交する面を有する底板後部２４１と、底板後部２４１の前端に連続し底板後部２４１に対して屈折して設けられた底板前部２４２とで構成される。底板前部２４２は、前方に向かって上方に傾斜した平面である。
【００２８】
底板後部２４１には、複数個（ここでは、３個）の第１突出部２６が設けられている。第１突出部２６は、載置面１３に対して点接触可能な形状及び数であり、例えば部分球面状であってもよい。なお、載置面１３が平面であって第１突出部２６を４個以上設ける場合には、各第１突出部２６の頂点が仮想の同一平面上に位置するように第１突出部２６を形成する必要がある。あるいは、第１突出部２６の高さを調整できるようにしてもよい。
【００２９】
本体２０の前面上部には、本体２０の外周面から前方に向かって、例えば全体コ字形状の取っ手２５が設けられている。取っ手２５は、本体胴部２１の上端部に設けられている取っ手下部２５１と、本体蓋部２２の下端面に設けられている取っ手上部２５２により形成される。取っ手下部２５１及び取っ手上部２５２は、本体蓋部２２を取り付けた際には、一体になって取っ手２５となる。
【００３０】
本体胴部２１の外周面で取っ手下部２５１の下方には、収容開口部２７１が設けられており、内部には使用していない予備のカセット５１を収容する収容部２７が設けられている。本体胴部２１の外周面における収容開口部２７１の下側で、底板前部２４２の上側には、底板前部２４２に隣接して第２突出部２８が設けられている。第２突出部２８は、載置面１３に対して点接触可能な形状であり、例えば半円柱形状で、２個設けられている。
【００３１】
本体２０には音出力部６０が設けられており、本体胴部２１の外周面には、音を本体２０の外部に発するための音出力孔６１が複数設けられている。音出力孔６１は、取っ手２５が設けられている前面に対して、本体胴部２１の側面に設けられる。
【００３２】
図２に示すように、本体蓋部２２の外周面における下端部には、取っ手上部２５２とは反対側（すなわち、後方）に向けて開口する装着用開口４１１が設けられている。この装着用開口４１１を介して、映像の情報を有するカセット５０を、選択的に投影部４０の装着部４１に装着可能となっている。また、本体蓋部２２において投影部４０のレンズ４２の上方に対応する位置には、投影用開口２９が設けられている。
【００３３】
これにより、投影部４０は、装着部４１に装着されたカセット５０の記憶情報に基づく映像を、レンズ４２及び本体蓋部２２の投影用開口２９を通して、天井１１や壁１２等の対象物に投影する。同時に、音出力部６０が、カセット５０の記憶情報に基づく音を、音出力孔６１を通して発する。
【００３４】
次に、図２及び図３に基づいて、投影時における投影玩具１０の姿勢について説明する。
【００３５】
（第１投影状態）
第１投影状態とは、図３（Ａ）に示すように、対象物としての天井１１に投影する状態をいい、第１載置部３１によって載置面１３に載置された姿勢で投影する。このとき、第１載置部３１は、本体胴部２１の底板後部２４１の下面に設けられている３個の第１突出部２６によって形成されている。
【００３６】
したがって、３個の第１突出部２６の頂点によって形成される仮想の平面を載置面１３に載置することにより、投影玩具１０は、載置面１３に安定して支持される。これにより、投影部４０によって載置面１３に対して第１角度θ１（ここでは、θ１＝９０度）、すなわち真上に投影することができる。なお、本体２０の中心線ＣＬは、投影方向と平行なので、中心線ＣＬと載置面１３との角度を投影角度として説明することとする。
【００３７】
（第２投影状態）
第２投影状態とは、図３（Ｂ）に示すように、投影玩具１０の位置に対して斜め上方の天井１１に投影する状態をいい、第２載置部３２によって載置面１３に載置された姿勢で投影する。このとき、第２載置部３２は、本体胴部２１の底板２４で傾斜している平面状の底板前部２４２によって形成されており、第１載置部３１に隣接している。
【００３８】
底板前部２４２は平面であるため、載置面１３に面接触で載置されることにより、投影玩具１０は安定して支持される。
これにより、投影部４０によって、載置面１３に対して第１投影状態の第１角度θ１とは異なる第２角度θ２（例えば４５度以上９０度未満）で投影され、例えばやや斜め上方の天井１１に投影することができる。
やや斜め上方の天井１１に対して映像を投影できることに関して、例えば、以下に説明するような効果が期待できる。乳幼児を寝かし付ける際、枕やクッションなどを利用することにより視線がやや斜め上方の天井へ向いた姿勢で布団やベッド中で乳幼児をリラックスさせた後に、一般的な就寝時の体勢である真上に視線を向けるような姿勢に移行させることで、乳幼児のスムーズな寝かし付けを実行できる場合がある。天井への投影方向が真上の１方向だけとなる場合は、天井への視線の方向が変わる度に投影玩具１０の位置を移動させて、視線の方向に投影玩具１０の位置を合わせる必要があるが、投影玩具１０がやや斜め上方の天井１１に対して映像を投影できる載置面１３を有することにより、投影玩具を同じ位置（例えば、枕元などの操作がし易い位置）に置いた状態で、真上方向以外の斜め上方への投影が可能となり、寝かし付けで投影玩具１０を使用するときの利便性を向上させることができる。
【００３９】
（第３投影状態）
第３投影状態とは、図３（Ｃ）に示すように、対象物としての壁１２に投影する状態をいい、第３載置部３３によって載置面１３に載置された姿勢で投影する。第３載置部３３は、第２載置部３２に対して第１載置部３１とは異なる方向（ここでは、前方）に隣接しており、第１載置部３１及び第２載置部３２の並び方向に設けられている。
【００４０】
第３載置部３３は、本体２０に設けられた取っ手２５の縁部２５３と、載置面に対して点接触可能な２個の第２突出部２８によって構成される。したがって、２個の第２突出部２８と取っ手２５の縁部２５３によって形成される仮想の平面を、載置面１３に面接触で載置することにより、投影玩具１０は安定して支持される。なお、縁部２５３が直線ではなく、曲線の場合でも、仮想の平面が形成されるので、投影玩具１０を安定して支持することができる。
これにより、投影部４０によって、載置面１３に対して第１投影状態の第１角度θ１及び第２投影状態の第２角度θ２とは異なる第３角度θ３（例えば４５度未満）で投影され、例えば壁１２に投影することができる。
【００４１】
以上、説明した本実施形態の投影玩具１０によれば、本体２０に、互いに異なる方向に向けて第１載置部３１、第２載置部３２、第３載置部３３を設けた。
これにより、各載置部を用いて本体２０を載置面１３に載置することにより、投影部４０は異なる３方向に投影することができ、投影玩具１０の利便性を向上させることが可能となる。また、投影玩具１０の本体部２０の外観形状を利用して異なる方向（本実施の形態においては、異なる３方向）への投影を可能にすることにより、投影玩具１０の投影方向を変更可能に支持する支持部材等を別途設けることなく、簡易な構成で安価に製造可能な玩具を実現できる。また、このような簡易な構成とすることで、幼児でも容易に投影玩具１０の投影方向を変更できる。
【００４２】
また、本実施形態の投影玩具１０によれば、第１載置部３１、第２載置部３２及び第３載置部３３は、本体２０における投影部４０の投影方向と異なる方向に向けて設けられている。
これにより、用いる載置部に応じて、異なる３方向に投影することができる。
【００４３】
また、本実施形態の投影玩具１０によれば、第３載置部３３は、第１載置部３１及び第２載置部３２の並び方向に設けられるとともに、第２載置部３２における第１載置部３１とは反対側に隣接するように設けた。
これにより、第３載置部３３を用いて本体２０を載置面１３に載置した場合には、第１載置部３１を用いた場合の投影方向及び第２載置部３２を用いた場合の投影方向と同一面上に、投影角度を変えて投影することができるので、投影方向の選択が容易になる。
【００４４】
また、本実施形態の投影玩具１０によれば、第１載置部３１を用いて本体２０を載置した場合には投影方向が載置面１３に対して第１角度θ１となり、第２載置部３２を用いた場合には投影方向が第２角度θ２となり、第３載置部３３を用いた場合には投影方向が第３角度θ３となる。
このため、天井１１や壁１２に投影する際に、容易に投影角度を選択することができる。
【００４５】
また、本実施形態の投影玩具１０によれば、第１角度θ１が９０度であり、第２角度θ２が４５度以上９０度未満であり、第３角度θ３が４５度未満であるので、天井１１や壁１２に投影する際に、容易に投影角度を選択することができる。
【００４６】
また、本実施形態の投影玩具１０によれば、第１載置部３１及び第２載置部３２は少なくとも一部が平面である。このため、平面を載置面１３に載置することにより、本体２０を安定して支持することができる。
また、第３載置部３３は少なくとも一部が曲面であるが、２個の第２突出部２８を併用して用いることにより、仮想面ができ、仮想面を載置面１３に載置することにより、本体２０を安定して支持することができる。
【００４７】
また、本実施形態の投影玩具１０によれば、第１載置部３１は、載置面１３に対して点接触可能な３個の第１突出部２６を有する。
このため、３個の第１突出部２６から仮想面が形成でき、仮想面を載置面１３に載置することにより、本体２０を安定して支持することができる。また、３個の第１突出部２６のうちの２個の第１突出部の位置が、第１載置部３１と第２載置部３２が共有する辺に沿って設けられていることにより、第１載置部３１での載置状態から、第２載置部での載置状態へ幼児でも容易に移行することが可能となる。
【００４８】
また、本実施形態の投影玩具１０によれば、第２載置部３２は載置面１３に対して面接触可能な平面であるので、この平面を載置面１３に載置することにより、本体２０を安定して支持することができる。
【００４９】
また、本実施形態の投影玩具１０によれば、第３載置部３３は、本体に設けられた取っ手２５を有するので、本体２０を載置面１３に載置する際に、取っ手２５を用いることができる。
【００５０】
また、本実施形態の投影玩具１０によれば、第３載置部３３は、載置面１３に対して点接触可能な２個の第２突出部２８を有するので、取っ手２５と２個の第２突出部２８を用いて本体２０を載置面１３に安定して載置することができる。
【００５１】
また、本実施形態の投影玩具１０によれば、各第２突出部２８は、第３載置部３３における第２載置部３２側に設けられているので、第２突出部２８が下側で取っ手２５側が上側になるように本体２０が斜めに載置される。
【００５２】
また、本実施形態の投影玩具１０によれば、第３載置部３３は、各第２突出部２８及び取っ手２５の縁部２５３を介して載置面１３に接触するので、第２突出部２８と縁部２５３によって形成される仮想の平面を載置面１３に載置することにより、本体２０を安定して支持できる。
【００５３】
また、本実施形態の投影玩具１０によれば、本体２０に設けられた音出力部６０は、投影部４０の投影方向、第１載置部３１、第２載置部３２及び第３載置部３３とは異なる方向に向けて設けられている。
このため、投影部４０によって投影する際に、どの載置部により本体２０を支持しても、音出力部６０は、載置面に邪魔されることなく音を発することができる。
【００５４】
また、本実施形態の投影玩具１０によれば、映像の情報を有するカセット５０を装着可能な装着部４１が、本体２０に対する取っ手２５とは反対側に向けて開口している。
このため、第２載置部３２や第３載置部３３を用いて本体２０を載置する場合でも、装着用開口４１１が上方に向くので、カセット５０を装着部４１に容易に装着することができる。
【００５５】
また、本実施形態の投影玩具１０によれば、装着部４１は、情報が異なる複数種類のカセット５０を選択的に装着可能であるので、カセット５０を変えて装着することにより、異なる映像を投影することができる。
そして、取っ手２５に隣接する位置（取っ手側の位置）であって、第２突出部２８と取っ手２５との間に収容部２７を配置したので、装着部４１に装着されない他のカセット５０を収容部２７に収容することができる。これにより、取っ手２５を把持し、投影玩具１０を運搬する際においても、収容部２７に収容されたカセット５０の収容部２７からの離脱を防止することができる。
また、第２載置部３２や第３載置部３３を用いて本体２０を載置する場合、収容部２７が下方に向くので、投影玩具１０の操作時に利用することが相対的に不便となる方向に使用時に利用する頻度が相対的に低い装着部４１が配置されることになり、投影玩具１０の本体２０のスペースを有効に活用することができる。
【００５６】
本発明の投影玩具１０は、前述した実施形態に限定されるものでなく、適宜な変形，改良等が可能である。
すなわち、前述した実施形態の投影玩具１０では、第１載置部３１、第２載置部３２及び第３載置部３３が同一線上に配置された場合について説明したが、これに限らず、第１載置部３１、第２載置部３２及び第３載置部３３を同一線上にない例えばＬ字状に設けることも可能である。
【符号の説明】
【００５７】
１０  投影玩具
１１  天井（対象物）
１２  壁（対象物）
１３  載置面
２０  本体
２５  取っ手
２６  第１突出部
２８  第２突出部
３１  第１載置部
３２  第２載置部
３３  第３載置部
４０  投影部
４１  装着部
５０  カセット（記憶媒体）
６０  音出力部
θ１  第１角度
θ２  第２角度
θ３  第３角度
【図１】
2018121964.tif 000003
【図２】
2018121964.tif 000004
【図３】
2018121964.tif 000005